(57)【要約】【課題】  どの列の板材も、その幅方向に反らない。【解決手段】  床材１０の長手方向１２を同じ向きに揃えて床板１０の複数枚を上下方向に積み重ねることによりユニット８を形成し、さらにこのユニット８を上下方向に積み上げることにより列３を形成し、この列３を長手方向１２と直交する幅方向１４に並べて複数列を形成し、この複数列の列と列との間にスペーサ１８を設けて隙間２０を形成する。また、列３を長手方向１２と直交する短手方向１４に隙間無く隣接させて複数列を形成し、この複数列の最外側に位置する列４の長手方向１２に沿うとともに外方に面する側面５に防湿シート２２を当てても良い。【選択図】              図１
2005145466.tif 000002
【特許請求の範囲】
【請求項１】
板材の長手方向を同じ向きに揃えて該板材を上下方向に積み重ねることにより列を形成し、または板材の長手方向を同じ向きに揃えて該板材の複数枚を上下方向に積み重ねることによりユニットを形成し、さらに該ユニットを上下方向に積み上げることにより列を形成し、該列を前記長手方向と直交する方向に並べて複数列を形成し、該複数列の列と列との間にスペーサを設けて隙間を形成してなる板材の保管運搬方法。
【請求項２】
板材の長手方向を同じ向きに揃えて該板材を上下方向に積み重ねることにより列を形成し、または板材の長手方向を同じ向きに揃えて該板材の複数枚を上下方向に積み重ねることによりユニットを形成し、さらに該ユニットを上下方向に積み上げることにより列を形成し、該列を前記長手方向と直交する方向に隙間無く隣接させて複数列を形成し、該複数列の最外側に位置する列の長手方向に沿うとともに外方に面する側面に防湿材を当ててなる板材の保管運搬方法。
【発明の詳細な説明】
【技術分野】
【０００１】
本発明は、木質系板材の保管運搬方法に係り、特に床板、壁板、天井板などの木質系板材の保管運搬方法に関する。
【背景技術】
【０００２】
床板、壁板、天井板などの木質系板材は、一般的にできるだけ反りのないことが好ましい。特に、板材の幅方向に反りがあると、これら反りのある板材を互いに平行に並べて張るときに、板材同士が互いに干渉し合い、長手方向全長に渡って密着しないので、床、壁、天井などの板材として使用することができない。板材の反りは、その製作過程において発生することもあるが、品質検査に合格した板材であっても、その置かれる環境、たとえば梅雨などの多湿のときであって、その後の不用意な保管、運搬または取り扱いなどによって反りを新たに発生させることがある。
【０００３】
従来の板材の保管方法の一例として、たとえば図４に示すような保管方法がある。この保管方法は、板材を数枚、その長手方向１２を同じ向きに揃えて積み重ねることによりユニット８を形成し、さらにこのユニット８を複数上下方向に数段積み上げることにより列３を形成し、長手方向１２と直交する幅方向１４に並べて複数列を形成してブロック１とするものである。
【発明の開示】
【発明が解決しようとする課題】
【０００４】
しかしながら、上記従来の板材の保管方法は、列３の長手方向に沿う外側側面５が周囲の空気（周囲空気）に触れているので、外側側面５が内側側面６に比べ周囲空気の影響を受け易い。板材の製造された当初の含水率が低い状態で外側側面５が周囲空気に触れると、外側側面５は周囲空気に含まれている水分を吸い込む。外側側面５が水分を吸い込むと板材の外側の含水率（平衡含水率）が内側の含水率に比べ高くなる。板材の外側の含水率が高くなると、図５に２点鎖線で示すように、最外側列の板材１１はその幅方向１４に円弧状に、かつ板材１１の中央が外方に凸となるように反る。
【０００５】
反対に、板材の製造された当初の含水率が高い状態で外側側面５が周囲空気に触れると、外側側面５に含まれている水分は周囲空気中に放出される。外側側面５から水分が放出されると板材の外側の含水率（平衡含水率）が内側の含水率に比べ低くなる。板材の外側の含水率が低くなると、上記図５に示した反り方向と反対の方向に、すなわち、最外側列の板材１１はその幅方向１４に円弧状に、かつ板材１１の中央が内方に凹むように反る。
【０００６】
板材の幅方向片側の含水率が変化することによる反りの程度としては、板材の長さがたとえば１８００ｍｍの場合、円弧の弦に対する中央部分の高さが数ｍｍである。このように反った板材１１は、互いに平行に並べて張るときに、板材１１の雄実（または雌実）と雌実（または雄実）が合わなくなるので、床材や壁材などに使えない。
【０００７】
本発明の課題は、どの列の板材も、その幅方向に反らないことである。
【課題を解決するための手段】
【０００８】
上記課題を解決するため本発明は、板材の長手方向を同じ向きに揃えて該板材を上下方向に積み重ねることにより列を形成し、または板材の長手方向を同じ向きに揃えて該板材の複数枚を上下方向に積み重ねることによりユニットを形成し、さらに該ユニットを上下方向に積み上げることにより列を形成し、該列を前記長手方向と直交する方向に並べて複数列を形成し、該複数列の列と列との間にスペーサを設けて隙間を形成してなることを特徴とする。
【０００９】
このようにすることにより、列と列の間にスペーサを設けるので、列と列の間に隙間が形成される。列と列の間に隙間が形成されると、各列の側面は周囲空気に略均等に触れるので、これに対応する板材の両木口も周囲空気から同じ影響を受ける。したがって、板材の両木口に周囲空気から侵入する水分量が略等しくなる。板材の両木口に侵入する水分量が略等しくなると、板材の幅方向両側の含水率（平衡含水率）は左右で等しくなり、幅方向のどちらの側にも反ることがなくなる。
【００１０】
また、列を前記長手方向と直交する方向に隙間無く隣接させて複数列を形成し、該複数列の最外側に位置する列の長手方向に沿うとともに外方に面する側面に防湿材を当てると良い。最外側に位置する列の長手方向に沿い、外方に面する側面に防湿材を当てることにより、外方に面する側面は、周囲空気の影響を受けにくくなるので、内部の板材の幅方向両側の含水率（平衡含水率）は左右で等しくなり、幅方向のどちらの側にも反ることがなくなる。
【００１１】
次に本発明を構成する各要件についてさらに詳しく説明する。本発明は、板材の保管、運搬、輸送または取り扱いの方法に関するものである。板材は、住宅や一般建物などの床板、壁板、天井板などの木質系材料である。板材としては、広葉樹や針葉樹の合板または集成材、単板積層板、パーティクルボード、木質繊維板（ＭＤＦなど）などである。
【００１２】
ユニットは、板材を数枚、たとえば床板の場合には６枚を１束として結束したもので、ダンボール紙などの梱包材で部分的にまたは全体的に覆って保護しても良い。列は、上記ユニットを複数、たとえば１０ユニットを上下方向に積み上げたものである。この列を長手方向と直交する方向に並べて複数列としたブロックを形成しても良い。
【００１３】
スペーサは、少なくとも列と列の間に３ｍｍ以上の隙間が形成されるものを使用する。スペーサの断面形状は、矩形、多角形、丸形などの棒状部材である。スペーサの材質は、塩化ビニールなどの硬質または発泡スチロールなどの軟質の合成樹脂、木質材、アルミニウムなどの金属材などを使用できる。
【００１４】
防湿材は、水蒸気や水を透過させない材料で、複数の列のうち最外側に位置する列の外方に面する側面に設けられる。防湿材の周縁は、ブロックの側面に密着させた方が良い。また、ブロック全体を防湿材で覆っても良い。防湿材の材質としては、たとえば合成樹脂（ポリプロピレン、ポリエチレン）、金属（鉄、銅、アルミニウム）などのシートや板、またはこれらの積層複合シート（アルミ蒸着フィルム、アルミ箔＋合成樹脂フィルム）や積層複合板などを使用できる。
【発明の効果】
【００１５】
本発明によれば、どの列の板材も周囲空気の影響を略均等に受けるか、または反対にほとんど受けないので、板材自体がその幅方向に円弧状に反ることがなくなる。
【発明を実施するための最良の形態】
【００１６】
以下、本発明に係る板材の保管運搬方法の最良の形態を図面に基づいて詳細に説明する。なお、図１〜３において、同一または同等部分には同一符号を付けて示す。また、各図において、ブロックの下に敷く幅木またはパレットは省略されている。
【実施例１】
【００１７】
図１は、本発明に係る板材の保管運搬方法の一実施例を示す斜視図である。図２は、図１と同じ実施例を示し、（Ａ）は正面図、（Ｂ）は（Ａ）の平面図である。本実施例は、住宅や一般建物などの床板（板材）の保管方法を示す。床板は、木質系材料で形成され、広葉樹や針葉樹の合板などである。床板の大きさは、たとえば幅１００〜３００ｍｍ×長さ９００〜１８１８ｍｍ×厚み４〜１５ｍｍ程度である。
【００１８】
この床板の長手方向１２を同じ向きに揃えて６枚を積み重ねて一つにまとめユニット８とし、このユニット８を上下方向１６に１０段積み上げることにより列３を形成する。この列３を長手方向１２と直交する幅方向１４に並べて３列とし、この３列の左側列３ａと中央列３ｂ、中央列３ｂと右側列３ｃの間にスペーサ１８を設けて隙間２０を形成する。
【００１９】
ユニット８は、上記のように床板６枚を１束として結束したもので、ダンボール紙などの梱包材で部分的または全体的に覆い、かつ長手方向の両端寄りと中間の２箇所の合計４箇所をポリプロピレンなどの合成樹脂バンド９により結束している。
【００２０】
列３は、ユニット８を上下方向に１０段積み上げたものであるが、この段数に限定されない。列３を互いに長手方向１２が平行になるように並べて３列としたものを１ブロックとする。列の数は、３列に限らず２列、または４列以上でも良い。ブロック１は、その長手方向１２の前寄りと後寄りの２箇所で合成樹脂などのバンド２４により一つに括られる。
【００２１】
スペーサ１８は、列３ａと列３ｂ、列３ｂと列３ｃの間の上下方向に最上段のユニット８から最下段のユニット８まで達する長さのものが設けられ、少なくとも長手方向に２箇所設けられる。スペーサ１８を設けることにより、列３ａと列３ｂ、列３ｂと列３ｃの間に３ｍｍ以上の隙間が形成されるようにする。本実施例におけるスペーサ１８は、２０×５０ｍｍの矩形断面で棒状の発泡スチロールである。この発泡スチロールのスペーサ１８を列３ａと列３ｂ、列３ｂと列３ｃの間に挟むことによりおよそ９〜１０ｍｍの隙間２０が形成される。
【００２２】
以上説明した実施例の作用は次のようである。すなわち、図１において、列３ａと列３ｂ、列３ｂと列３ｃの間にスペーサ１８を設けることにより、列３ａと列３ｂ、列３ｂと列３ｃの間に隙間２０が形成される。列３ａと列３ｂ、列３ｂと列３ｃの間に隙間２０が形成されると、各列の長手方向に沿う側面は周囲空気に触れるので、列ユニット内部の床板の長手方向１２に沿う両木口は周囲空気の影響が同じになる。このことから周囲空気中の水分が床板に侵入する割合が略等しくなり、床板の幅方向１４両側の平衡含水率は左右で略等しくなるので、幅方向１４のどちらの側にも反ることがなくなる。
【実施例２】
【００２３】
図３は、本発明に係る板材の保管運搬方法の別の実施例を示す斜視図である。この別の実施例において、ブロック１を形成する列３ａと列３ｂ、列３ｂと列３ｃは、その長手方向に沿う側面同士が隙間無く隣接している。さらに、３列の最外側に位置する列３ａ、３ｃの長手方向１２に沿うとともに外方に面する側面５には防湿シート（防湿材）２２が当てられる。
【００２４】
最外側に位置する列３ａ、３ｃの長手方向１２に沿う側面５に防湿シート２２が当てられることにより、側面５は、周囲空気の影響を受けにくくなるので、列３ａ、３ｃを形成する内部の板材の幅方向１４両側の含水率（平衡含水率）は左右で等しくなり、幅方向１４のどちらの側にも反ることがなくなる。
【００２５】
防湿シート２２は、水蒸気や水を透過させない材料で、たとえばポリプロピレンやポリエチレンなどの合成樹脂シート、鉄、銅、アルミニウムなどの金属シートまたはこれらの積層複合シート（アルミ蒸着フィルム、アルミ箔＋合成樹脂フィルム）などである。さらに、上記シートの他に箔、薄板なども使用できる。防湿シート２２の周囲は、ブロック１の側面５に密着した方が良い。また、ブロック１全体を防湿シート２２で覆っても良い。
【００２６】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００２７】
本発明の板材の保管運搬方法は、住宅や一般建物などの床板、壁板、天井板などの保管、運搬その他の取り扱いに利用できる。
【図面の簡単な説明】
【００２８】
【図１】本発明に係る板材の保管運搬方法の一実施例を示す斜視図である。
【図２】図１の実施例を示し、（Ａ）は正面図、（Ｂ）は（Ａ）の平面図である。
【図３】本発明に係る板材の保管運搬方法の別の実施例を示す斜視図である。
【図４】従来技術に係る板材の保管運搬方法の一例を示す斜視図である。
【図５】図４において、板材が幅方向に反った状態を示す説明図である。
【符号の説明】
【００２９】
１  ブロック
３  列
４  最外側に位置する列
５  外方に面する側面
８  ユニット
１０  床板（板材）
１２  長手方向
１４  幅方向（長手方向と直交する方向）
１６  上下方向
１８  スペーサ
２０  隙間
２２  防湿シート（防湿材）
【図１】
2005145466.tif 000003
【図２】
2005145466.tif 000004
【図３】
2005145466.tif 000005
【図４】
2005145466.tif 000006
【図５】
2005145466.tif 000007